(57)【要約】【課題】大切なデータを失うことなく、安心して機器の電源をＯＦＦにできるようなスイッチ装置を得ることを目的とする。【解決手段】本発明は、機器に使用されるスイッチ装置１であって、左右に傾動可能に設けられたハンドル３と、ハンドル３の傾動に伴って接触する第１可動接点４１と第１固定接点４５とを備えたメインスイッチ４と、ハンドル３の傾動に伴って接触、離間する第２可動接点５５と第２固定接点５２とを備えたシグナルスイッチ５と、第１可動接点４１を第１固定接点４５から離間させる離間手段６と、を備え、シグナルスイッチ５が信号を機器に送信し、この信号を受信した機器から送信される応答信号に基づき離間手段６が第１可動接点４１を第１固定接点４５から離間させることを特徴とする。【選択図】図１
2012059407.tif 000002
【特許請求の範囲】
【請求項１】
機器に使用されるスイッチ装置であって、
左右に傾動可能に設けられたハンドルと、
該ハンドルの傾動に伴って接触する第１可動接点と第１固定接点とを備えたメインスイッチと、
前記ハンドルの傾動に伴って接触、離間する第２可動接点と第２固定接点とを備えたシグナルスイッチと、
前記第１可動接点を前記第１固定接点から離間させる離間手段と、
を備え、
前記ハンドルが左右いずれか一方に傾動した状態で、前記第１可動接点が前記第１固定接点に接触するとともに前記第２可動接点が前記第２固定接点に接触し、
前記一方に傾動した状態から左右いずれか他方に傾動した状態に前記ハンドルを移行させると、前記第１可動接点が前記第１固定接点との接触状態を保持するとともに前記第２可動接点が前記第２固定接点から離間し、この離間に伴って前記シグナルスイッチが信号を前記機器に送信し、この信号を受信した前記機器から送信される応答信号に基づき前記離間手段が前記第１可動接点を前記第１固定接点から離間させることを特徴とするスイッチ装置。
【請求項２】
前記メインスイッチは、
前記第１可動接点が一端部に設けられるとともに突起部が設けられた回転可能な可動片を備え、
前記離間手段は、
前記機器に接続されたリセットコイルと、
該リセットコイルとの当接位置と離間位置との間で摺動可能とされ、前記リセットコイルに磁石の吸着力によって吸着され、前記突起部に係合可能なストッパーと、
該ストッパーを前記リセットコイルとの前記離間位置側に付勢する付勢手段と、を備え、
前記ハンドルが前記一方に傾動した状態で、前記付勢手段の付勢力に抗して前記磁石の吸着力により前記ストッパーが前記リセットコイルに吸着されて、前記ストッパーが前記リセットコイルとの前記当接位置に摺動し、
前記一方に傾動した状態から前記他方に傾動した状態に前記ハンドルを移行させると、前記機器からの応答信号に基づいて前記リセットコイルに電流が流れ、この電流により発生する前記磁石の磁界を打ち消す方向の磁界により前記磁石の吸着力を低下させるか又は消失させ、これに伴って前記付勢手段の付勢力により前記ストッパーを前記リセットコイルとの前記当接位置から前記離間位置まで摺動させ、この摺動に伴って前記ストッパーが前記可動片の前記突起部に係合して前記可動片を回転させ、前記第１可動接点を前記第１固定接点から離間させることを特徴とする請求項１に記載のスイッチ装置。
【発明の詳細な説明】
【技術分野】
【０００１】
本発明は、複写機等の機器に使用されるスイッチ装置に関する。
【背景技術】
【０００２】
従来、複写機等の機器に使用されるスイッチ装置として、左右に傾動可能なハンドルを操作して接点の開閉を行う、いわゆるロッカースイッチが周知である。
【０００３】
このようなロッカースイッチには通常、電源回路と接続するメインスイッチが設けられ、このメインスイッチは、ハンドルが左右いずれか一方側に傾動した状態で接点が接触し、ハンドルが左右いずれか他方側に傾動した状態で接点が離間するように構成されている（特許文献１参照）。そして、操作者のハンドル操作に連動してメインスイッチのＯＮ／ＯＦＦの切換が行われ、これに伴ってメインスイッチに接続された電源回路のＯＮ／ＯＦＦの切換が行われている。
【先行技術文献】
【特許文献】
【０００４】
【特許文献１】特許第２６４１２８３号公報
【発明の概要】
【発明が解決しようとする課題】
【０００５】
しかしながら、機器においては、稀にだがＨＤＤの破壊によりデータがなくなる問題が発生する。主な原因として、ハンドルの操作によりメインスイッチが突然ＯＦＦ状態となり、これに伴って、電源回路が突然遮断されることが考えられる。この点、上記した従来技術では、操作者のハンドル操作とメインスイッチのＯＮからＯＦＦへの切り替えが連動しているため、電源回路が突然遮断されることに起因する問題に対処することが困難であった。
【０００６】
また、機器の中には、メインスイッチの他にキースイッチを備え、キースイッチをＯＦＦにして機器のシャットダウン処理を行ってからメインスイッチをＯＦＦにすれば、ＨＤＤの破壊によるデータの損失を抑制することができるように構成されたものが存在する。しかしながら、このような構成においても、キースイッチをＯＦＦにする前にメインスイッチを誤ってＯＦＦにしたような場合には、依然として上記のようなＨＤＤの破壊を生じる虞があった。特に、近年の省エネ意識の高まりで、こまめにメインスイッチをＯＦＦにする習慣が背景にあり、上記したようなメインスイッチのＯＦＦ動作に伴うＨＤＤの破壊が生じやすくなっている。
【０００７】
そこで、本発明は上記の事情を考慮し、大切なデータを失うことなく、安心して機器の電源をＯＦＦにできるようなスイッチ装置を提供することを目的とする。
【課題を解決するための手段】
【０００８】
本発明は、上記した目的を達成するため、機器に使用されるスイッチ装置であって、左右に傾動可能に設けられたハンドルと、該ハンドルの傾動に伴って接触する第１可動接点と第１固定接点とを備えたメインスイッチと、前記ハンドルの傾動に伴って接触、離間する第２可動接点と第２固定接点とを備えたシグナルスイッチと、前記第１可動接点を前記第１固定接点から離間させる離間手段と、を備え、前記ハンドルが左右いずれか一方に傾動した状態で、前記第１可動接点が前記第１固定接点に接触するとともに前記第２可動接点が前記第２固定接点に接触し、前記一方に傾動した状態から左右いずれか他方に傾動した状態に前記ハンドルを移行させると、前記第１可動接点が前記第１固定接点との接触状態を保持するとともに前記第２可動接点が前記第２固定接点から離間し、この離間に伴って前記シグナルスイッチが信号を前記機器に送信し、この信号を受信した前記機器から送信される応答信号に基づき前記離間手段が前記第１可動接点を前記第１固定接点から離間させることを特徴とする。
【０００９】
また、前記メインスイッチは、前記第１可動接点が一端部に設けられるとともに突起部が設けられた回転可能な可動片を備え、前記離間手段は、前記機器に接続されたリセットコイルと、該リセットコイルとの当接位置と離間位置との間で摺動可能とされ、前記リセットコイルに磁石の吸着力によって吸着され、前記突起部に係合可能なストッパーと、該ストッパーを前記リセットコイルとの前記離間位置側に付勢する付勢手段と、を備え、前記ハンドルが前記一方に傾動した状態で、前記付勢手段の付勢力に抗して前記磁石の吸着力により前記ストッパーが前記リセットコイルに吸着されて、前記ストッパーが前記リセットコイルとの前記当接位置に摺動し、前記一方に傾動した状態から前記他方に傾動した状態に前記ハンドルを移行させると、前記機器からの応答信号に基づいて前記リセットコイルに電流が流れ、この電流により発生する前記磁石の磁界を打ち消す方向の磁界により前記磁石の吸着力を低下させるか又は消失させ、これに伴って前記付勢手段の付勢力により前記ストッパーを前記リセットコイルとの前記当接位置から前記離間位置まで摺動させ、この摺動に伴って前記ストッパーが前記可動片の前記突起部に係合して前記可動片を回転させ、前記第１可動接点を前記第１固定接点から離間させるものであっても良い。
【発明の効果】
【００１０】
本発明によれば、大切なデータを失うことなく、安心して機器の電源をＯＦＦにできるようなスイッチ装置を得ることが可能となる。
【図面の簡単な説明】
【００１１】
【図１】本発明の一実施形態に係るスイッチ装置において、メインスイッチ及びシグナルスイッチがＯＮとなっている状態を示す正面図である。
【図２】本発明の一実施形態に係るスイッチ装置を示す平面図である。
【図３】本発明の一実施形態に係るスイッチ装置を示す斜視図である。
【図４】本発明の一実施形態に係るスイッチ装置において、メインスイッチがＯＮとなり、シグナルスイッチがＯＦＦとなっている状態を示す正面図である。
【図５】本発明の一実施形態に係るスイッチ装置において、メインスイッチ及びシグナルスイッチがＯＦＦとなっている状態を示す正面図である。
【図６】本発明の一実施形態に係るスイッチ装置において、シグナルスイッチ及び微小電流回路がＯＦＦになってからメインスイッチ及び電源回路がＯＦＦになるまでの過程を示すフローチャートである。
【発明を実施するための形態】
【００１２】
以下、図１〜図６を用いて、本発明の一実施形態に係るスイッチ装置１について説明する。本実施形態においては、スイッチ装置１を機器としての例えば複写機（図示せず）に装着する場合について説明する。なお、スイッチ装置１は、設置された向きや角度によって上下左右の向きが相違するが、便宜上、図１における図面手前側を前側として説明する。
【００１３】
スイッチ装置１は、いわゆるロッカースイッチであって、スイッチ装置１の枠組を成すケース２と、ケース２内の上端部に配置されたハンドル３と、ハンドル３の下方から左下方にかけて設けられた前後一対のメインスイッチ４と、ハンドル３の右下方に設けられたシグナルスイッチ５と、メインスイッチ４とシグナルスイッチ５の間付近に設けられた離間手段６と、を備えている。なお、図２においてはハンドル３の記載が省略され、図３においてはケース２及びハンドル３の記載が省略されている。
【００１４】
ケース２は、有底箱状の上ケース７及び下ケース８により構成されている。なお、上ケース７及び下ケース８の前後左右は、前板、後板、両側板により被覆されているが、図１、図４、図５においては、上ケース７及び下ケース８の内部構造を分かり易く表示するため、上ケース７の前板と下ケース８の前板の右端部を切り欠いて表示している。
【００１５】
図２に最も良く示されるように、上ケース７の底板１０の四隅には、左右方向に長い固定穴１１が穿設されている。上ケース７は下ケース８よりも前後幅が大きくなるように構成されているため、上ケース７の底板１０の左前隅及び右前隅に設けられた固定穴１１は下ケース８よりも前方に位置し、上ケース７の底板１０の左後隅及び右後隅に設けられた固定穴１１は下ケース８よりも後方に位置している。
【００１６】
上ケース７の底板１０の前後方向中央には、左側部から右側部に亘って連通穴１２が上下方向に設けられ、連通穴１２の左方には取付穴１３が上下方向に穿設され、連通穴１２の右方には貫挿穴１４が上下方向に穿設されている。
【００１７】
上ケース７には、上端を開口部１５とする凹部１６が設けられ、凹部１６の左端部には、クリップばね１７が収納されている。クリップばね１７の下部は上ケース７の底板１０に設けられた取付穴１３に挿通されている。クリップばね１７の上部にはＵ字状の湾曲部１８が設けられ、この湾曲部１８の上方には、外方に向かって屈曲された内側屈曲部２０と、この内側屈曲部２０よりも僅かに下方において上方に向かって屈曲された外側屈曲部２１とが、対向して設けられている。
【００１８】
上ケース７の上端外周にはフランジ部２２が設けられ、上ケース７の両側面には、フランジ部２２の下方に、前後一対のバネ片２３が外側に向かって突設されている。そして、複写機に設けられた穴（図示せず）にスイッチ装置１を装着した際には、バネ片２３が穴の内面に当接して、穴からのスイッチ装置１の脱落を防止するように構成されている。
【００１９】
下ケース８の左側部には固定板２４が前後方向に設けられ、固定板２４の右側面にばね受け２５が設けられている。
【００２０】
ハンドル３は、上ケース７の凹部１６の開口部１５を閉塞するようにして設けられている。ハンドル３の左右方向中央の前後両端には嵌合突起２６が設けられ、この嵌合突起２６が上ケース７の前後両端に穿設された嵌合孔（図示せず）に嵌合することにより、上ケース７にハンドル３が左右に傾動可能に支持されている。ハンドル３は横長形状に形成されており、ハンドル３の上面には下方に向かって弧状に湾曲する操作面２７が設けられている。ハンドル３の下面の左右方向中央には突当溝２８が設けられ、この突当溝２８の右方には、突片３０が設けられている。
【００２１】
ハンドル３の下面の左右両端には、それぞれ左鍔部３１及び右鍔部３２が突設され、右鍔部３２と突片３０の間には、押圧突起２９が突設されている。ハンドル３の下面には、左鍔部３１の内側に切欠部３３が設けられ、左鍔部３１の内面には、切欠部３３に臨むようにして係合凹部３４が設けられている。左鍔部３１の下端には、内方に向かって係止爪３５が突設されている（図４、図５参照）。
【００２２】
各メインスイッチ４は、上ケース７の下部の右側部から左端部にかけて設けられた可動片３６と、可動片３６の左下方に設けられたＮＯ端子３７と、ＮＯ端子３７の右方に設けられたＣＯＭ端子３８と、ハンドル３と可動片３６の間に介装されるスプリング４０と、により構成されている。なお、図１、図４、図５においては、ＣＯＭ端子３８の後方の部材を表示するため、ＣＯＭ端子３８の上部から下端部の記載が省略されている。各メインスイッチ４は、電源回路（図示せず）に接続されており、この電源回路には例えば６Ａ〜１６Ａの電流が流れている。
【００２３】
各可動片３６は、リベット型の第１可動接点４１が一端部に固定された腕部４２と、この腕部４２の上面の右側部に固定された突起部４３と、により構成されている。突起部４３は、平面視で略四角形の筒状に形成され、突起部４３の上端縁の前部と後部には、それぞれ突出板４４が突設されている。
【００２４】
各ＮＯ端子３７は、上ケース７の底板１０の左前隅と左後隅に設けられた固定穴１１にそれぞれ貫挿されており、左前隅の固定穴１１に貫挿されたＮＯ端子３７は、上部から下端部までが下ケース８の左前方に露出し、左後隅の固定穴１１に貫挿されたＮＯ端子３７は、上部から下端部までが下ケース８の左後方に露出している。各ＮＯ端子３７の上端には、各可動片３６の第１可動接点４１と当接可能な位置に、リベット型の第１固定接点４５が設けられている。
【００２５】
各ＣＯＭ端子３８は、上ケース７の底板１０の右前隅と右後隅に設けられた固定穴１１に貫挿されており、右前隅の固定穴１１に貫挿されたＣＯＭ端子３８は、上部から下端部までが下ケース８の右前方に露出し、右後隅の固定穴１１に貫挿されたＣＯＭ端子３８は、上部から下端部までが下ケース８の右後方に露出している。各ＣＯＭ端子３８の上端は、各可動片３６の腕部４２の右側部、即ち、突起部４３が固定された部分を、回転可能に支持している。
【００２６】
各スプリング４０は、上端部がハンドル３の突当溝２８に挿入されるとともに下端部が可動片３６の突起部４３に挿入されている。各スプリング４０は、左側又は右側にくの字状に屈曲した状態を保持するように形成されている。図１、図４、図５において、スプリング４０の形状の一部を破線で示している。
【００２７】
シグナルスイッチ５は、下ケース８の右下部に固定された収納体４７と、この収納体４７に下端部が収納されるアクチュエータ４８と、を主体として構成されている。なお、図１、図４、図５においては、収納体４７及びアクチュエータ４８の前部の一部を切り欠いて表示している。シグナルスイッチ５は、微小電流回路（図示せず）に接続されており、この微小電流回路には、例えば５ｍＡ〜３００ｍＡの電流が流れている。
【００２８】
収納体４７は有底箱型形状を成しており、収納体４７の上端は蓋体５０により被覆され、蓋体５０の上面には貫通穴５１が上下方向に穿設されている（図３参照）。収納体４７の内面左側には、上部から下端部まで、第２固定接点５２が上下方向に設けられている。
【００２９】
アクチュエータ４８は、上ケース７の底板１０に設けられた貫挿穴１４及び蓋体５０に設けられた貫通穴５１に上下動可能に貫挿されている。アクチュエータ４８の底面には、挿入溝５３が凹設され、挿入溝５３の天面と収納体４７の収納溝５１の下面の間には、シグナルスイッチ用付勢部材としてのコイルスプリング５４が介装され、このコイルスプリング５４によりアクチュエータ４８が上側に付勢されている。アクチュエータ４８の周面の下端左側には、第２固定接点５２と摺接可能な位置に、第２可動接点５５が圧入されている。
【００３０】
離間手段６は、ケース２の前後方向中央に設けられた連結体５６と、連結体５６の右方に設けられたストッパー５７と、連結体５６の右下方に設けられた付勢手段としてのリターンスプリング５８と、を主体として構成されている。
【００３１】
連結体５６は、上ケース７の底板１０に設けられた連通穴１２の左側部に貫挿されており、連結体５６の上部には、リセットコイル（電磁石）６０が設けられている。リセットコイル６０は、コイル（図示せず）が外装されたコイル保持部６１と、コイル保持部６１に貫挿されるヨーク（鉄芯）６２と、により構成されている。ヨーク６２は、コイル保持部６１内に貫挿される内側部分とコイル保持部６１の前方に配置される外側部分とが上端で連結されて形成されており、ヨーク６２の外側部分及び内側部分の下端右側には、接触片６３が突設されている。なお、図１、図２、図４、図５においては、ヨーク６２の外側部分の接触片６３のみが図示されており、ヨークの内側部分の接触片６３については図示されていない。リセットコイル６０は複写機に接続されており、複写機からの信号に基づいてリセットコイル６０に電流が流れて、リセットコイル６０の周りに磁界が発生するようになっている。
【００３２】
連結体５６の下端には、支持片６４が右方に向かって突設されており、支持片６４には、上端縁に沿ってガイドレール６５が水平に設けられている。
【００３３】
ストッパー５７は、上ケース７の底板１０に設けられた連通穴１２の右側部に貫挿されている。ストッパー５７の上端部の前後両端にはそれぞれ延出部６６が左方に向かって設けられ、前端の延出部６６と後端の延出部６６の間にはガイド溝６７が設けられている。
【００３４】
前端の延出部６６の先端には、前方に向かって略直角に屈曲された係合片６８が設けられ、この係合片６８の右側面を、前側の可動片３６の突起部４３に設けられた後側の突出板４４に係合可能としている。後端の延出部６６の先端には、後方に向かって略直角に屈曲された係合片６８が設けられ、この係合片６８の右側面を、後側の可動片３６の突起部４３に設けられた前側の突出板４４に係合可能としている。
【００３５】
ストッパー５７の上部右側には固定片６９が設けられ、固定片６９の下方に金属製の収納部７０が設けられている。収納部７０には磁石（図示せず）が収納されており、この磁石の吸着力によりストッパー５７がリセットコイル６０に吸着されて、ストッパー５７の収納部７０の左下端部に突設された当接片７２がリセットコイル６０のヨーク６２に設けられた接触片６３に当接している（図１、図２、図４参照）。
【００３６】
ストッパー５７の下部には、連結体５６のガイドレール６５と嵌合可能な嵌合凹部（図示せず）が設けられ、嵌合凹部がガイドレール６５に嵌合されることにより、ストッパー５７が、リセットコイル６０との当接位置と離間位置の間で、ガイドレール６５に沿って摺動可能となっている。ストッパー５７の下端には左方に向かってばね受け７１が設けられている。
【００３７】
リターンスプリング５８は、ガイドレール６５の下方に、ガイドレール６５と平行に設けられている。リターンスプリング５８の左端部は、下ケース８の固定板２４に設けられたばね受け２５に固定されており、リターンスプリング５８の右端部は、ストッパー５７の下端に設けられたばね受け７１に固定されている。そして、リターンスプリング５８によりストッパー５７がリセットコイル６０との離間位置側に付勢されている。
【００３８】
上述の如く構成されたスイッチ装置１を用いて、メインスイッチ４が取り付けられた電源回路及びシグナルスイッチ５が取り付けられた微小電流回路をＯＮからＯＦＦに切り替える動作について説明する。
【００３９】
図１は、ハンドル３が右側に傾動した状態を示している。この状態では、可動片３６の第１可動接点４１が第１固定接点４５に押圧接触しており、メインスイッチ４はＯＮ状態である。また、アクチュエータ４８は、ハンドル３の右鍔部３２により下方に押圧され、コイルスプリング５４の付勢力に抗して下側に位置しており、第２可動接点５５が第２固定接点５２に摺動接触している。従って、シグナルスイッチ５もＯＮ状態である。
【００４０】
また、ストッパー５７は、収納部７０に収納された磁石の吸着力により、リターンスプリング５８の付勢力に抗してリセットコイル６０に吸着されている。そのため、ストッパー５７がリセットコイル６０との当接位置に摺動しており、リセットコイル６０の接触片６３にストッパー５７の当接片７２が当接している。この時、収納部７０に収納された磁石の吸着力は、リターンスプリング５８の付勢力よりも大きい。
【００４１】
この状態から、ハンドル３の操作面２７の左側部分を押圧すると、ハンドル３の左側部分が下降するととともにハンドル３の右側部分が上昇し、図４に示されるように、ハンドル３が左側に傾動した状態となる。これに伴って、ハンドル３の左鍔部３１がクリップばね１７の内側屈曲部２０と外側屈曲部２１の間に挿入され、内側屈曲部２０と外側屈曲部２１に挟持される。同時に、左鍔部３１の係合凹部３４がクリップばね１７の内側屈曲部２０に係合するとともに、左鍔部３１の係止爪３５が内側屈曲部２０の下側部分のクリップばね１７に接触する。これにより、ハンドル３が左側へ傾動した状態が保持される。
【００４２】
また、上述の如く右側に傾動した状態から左側に傾動した状態にハンドル３を移行させると、ハンドル３の右側部分が上昇し、アクチュエータ４８がコイルスプリング５４の付勢力により上昇する。これにより、第２可動接点５５が第２固定接点５２から離間してシグナルスイッチ５がＯＦＦ状態となり、これに伴って、微小電流回路がＯＦＦ状態となる。一方で、第１可動接点４１は第１固定接点４５との押圧接触状態を保持しており、メインスイッチ４及び電源回路はＯＮ状態を維持している。
【００４３】
上記の如くシグナルスイッチ５及び微小電流回路がＯＦＦになってから、メインスイッチ４及び電源回路がＯＦＦになるまでの過程を図６に示す。まず、シグナルスイッチ５及び微小電流回路がＯＦＦになると、シグナルスイッチ５がＯＦＦ信号を複写機に送信する。このＯＦＦ信号を受信した複写機は、シャットダウン処理を行った後、応答信号をスイッチ装置１に送信する。
【００４４】
この応答信号に基づいて、スイッチ装置１のリセットコイル６０に電流が流れ、この電流により、収納部７０に収納された磁石の磁界を打ち消す方向の磁界がリセットコイル６０の周りに発生し、収納部７０に収納された磁石の吸着力を低下させる。これに伴って、リターンスプリング５８の付勢力が、収納部７０に収納された磁石の吸着力よりも大きくなる。そのため、図５に示されるように、リターンスプリング５８の付勢力によりストッパー５７がリセットコイル６０との当接位置から離間位置まで摺動し、ストッパー５７の当接片７２がリセットコイル６０の接触片６３から離間する。
【００４５】
このようにしてストッパー５７がリセットコイル６０との当接位置から離間位置まで摺動すると、これに伴って、ストッパー５７の延出部６６に設けられた係合片６８が、可動片３６の突出板４４と係合し、可動片３６を一方向（図示では時計回り）に回転させる。これにより、第１可動接点４１が第１固定接点４５から離間し、メインスイッチ４がＯＦＦになり、電源回路もＯＦＦになる。
【００４６】
本実施形態においてはこのように、操作者がハンドル３を操作してもこれに連動して第１可動接点４１が第１固定接点４５から離間せず、複写機のシャットダウン処理が完了した後、複写機から送信される応答信号に基づいて、第１可動接点４１が第１固定接点４５から離間し、メインスイッチ４と電源回路がＯＦＦになる。そのため、複写機のシャットダウン処理が完了する前に電源回路が突然ＯＦＦ状態になって大切なデータを失うことがなく、安心して複写機の電源をＯＦＦにすることができる。
【００４７】
また、リセットコイル６０に流れる電流により収納部７０に収納された磁石の磁界を打ち消す方向の磁界を発生させることで磁石の吸着力を低下させ、これに伴って、コイルスプリング５４の付勢力によりストッパー５７をリセットコイル６０との当接位置から離間位置まで摺動させている。このような構成を採用することで、メインスイッチ４のＯＮからＯＦＦへの切換を、自動で確実に行うことが可能となる。
【００４８】
また、ハンドル３の位置を検出するためのシグナルスイッチ５をスイッチ装置１に内蔵しているため、ハンドル３が右側に傾動した状態から左側に傾動した状態に移行したことを確実に検知し、複写機にＯＦＦ信号を送信することができる。更に、複写機からの信号によりメインスイッチ４を強制的にＯＮからＯＦＦに切り換える構成であるため、一定時間操作しない状態が続いた場合のオートパワーＯＦＦ動作や異常検知時の安全対策に対応可能である。
【００４９】
また、左鍔部３１の係合凹部３４をクリップバネ１７の内側屈曲部２０に係合させた状態で、内側屈曲部２０と外側屈曲部２１で左鍔部３１を挟持することにより、ハンドル３の左側への傾動姿勢を保持している。このような構成を採用することにより、ハンドル３の左側への傾動姿勢が不用意に解除されるのを抑制することが可能となる。
【００５０】
なお、上述の如くＯＮからＯＦＦに切り替えたメインスイッチ４を再びＯＮに切り換えるには、リセットコイル６０に電流を流すのを停止した状態で、ハンドル３の操作面２７の右側部分を押圧する。この押圧により、ハンドル３の左鍔部３１がクリップバネ１７から分離し、ハンドル３が再度右側に傾動する。これに伴って、ハンドル３の突片３０がスプリング４０に接触し、右側に屈曲されたコイルスプリング５４を左側に屈曲した状態に移行させる。このスプリング４０の屈曲姿勢の移行に連動して、可動片３６が他方向（図示では反時計回り）に回転し、図１に示されるように、第１可動接点４１が第１固定接点４５に再び押圧接触する。これにより、電源回路が再びＯＮ状態となる。
【００５１】
また、上記の如くハンドル３が左側に傾動した状態から右側に傾動した状態に移行すると、ハンドル３の右鍔部３２が下降し、コイルスプリング５４の付勢力に抗してアクチュエータ４８を下方に押し下げる。これにより、第２可動接点５５が第２固定接点５２に再び摺動接触し、微小電流回路が再びＯＮ状態となる。
【００５２】
また、ハンドル３の押圧突起２９がストッパー５７の固定片６９の右側面に当接し、ストッパー５７を左方に押圧する。これにより、リターンスプリング５８の付勢力に抗してストッパー５７が左方に摺動し、収納部７０に収納された磁石の吸着力でリセットコイル６０に再度吸着し、ストッパー５７の当接片７２がリセットコイル６０の接触片６３に再度当接する。本実施形態ではこのように、メインスイッチ４のＯＦＦからＯＮへの切換を、ハンドル３の操作と連動して速やかに行うことができる。
【００５３】
なお、本実施形態では前述の如く、上ケース７の凹部１６の左端部に収納されたクリップばね１７によりハンドル３の左側への傾動姿勢を保持しているが、他の異なる実施形態では、例えば、クリップばね１７の代わりに磁石（図示せず）を凹部１６の左端部に収納し、この磁石の吸着力により、ハンドル３の左端部に設けられた金属部分（図示せず）を吸着する構成としても良い。このような構成を採用することにより、ハンドル３がある程度まで左側へ傾動すれば、磁石の吸着力でハンドル３が吸着されてハンドル３の左側への傾動が補助されるため、ハンドル３の傾動姿勢の切換を容易に行うことが可能となる。
【符号の説明】
【００５４】
１  スイッチ装置
３  ハンドル
４  メインスイッチ
５  シグナルスイッチ
６  離間手段
３６  可動片
４１  第１可動接点
４３  突起部
４５  第１固定接点
５２  第２固定接点
５５  第２可動接点
５７  ストッパー
５８  リターンスプリング（付勢手段）
６０  リセットコイル
【図１】
2012059407.tif 000003
【図２】
2012059407.tif 000004
【図３】
2012059407.tif 000005
【図４】
2012059407.tif 000006
【図５】
2012059407.tif 000007
【図６】
2012059407.tif 000008